(57)【特許請求の範囲】
【請求項１】
複数本の電線を１つの長尺帯状のバンド部によって結束するワイヤハーネス用バンドの結束構造であって、
前記バンド部は、前記各電線を同一方向である長さ方向に延出させた状態で、その長さ方向に延出する各電線全体の外周に対し、結束動作の起点から離れる往き方向にずれながら巻き付けられる巻き部分と、この往き方向の巻き部分の内側に重なるように交差して、前記起点へ向かう戻り方向にずれながら巻き付けられる巻き部分とを含んでいることを特徴とするワイヤハーネス用バンドの結束構造。
【請求項２】
軸方向に延出する複数の電線を有する幹線部と、前記幹線部の延出方向途中で分岐する電線を有する分岐部とを備え、前記バンド部が前記幹線部の各電線を結束するものであり、前記幹線部の各電線が前記バンド部によって結束される位置は、前記分岐部が分岐される位置に対応していることを特徴とする請求項１記載のワイヤハーネス用バンドの結束構造。
【請求項３】
前記電線が耐油性を有していること特徴とする請求項１又は２記載のワイヤハーネス用バンドの結束構造。
【発明の詳細な説明】
【技術分野】
【０００１】
本発明は、ワイヤハーネス用バンドの結束構造に関する。
【背景技術】
【０００２】
特許文献１には、ワイヤハーネスを構成する複数の電線を結束するためのワイヤハーネス用バンドが開示されている。バンドは、箱状の本体と、本体から延出する帯状のバンド部とを備えている。バンド部は、各電線の外周に対し、各電線の長さ方向（軸方向）の同一位置にて巻き付けられ、その先端部が本体の貫通孔内に通されて、貫通孔内に突出する係止爪に係止されることにより、各電線に保持されるようになっている。
【先行技術文献】
【特許文献】
【０００３】
【特許文献１】特開２０１２−９０３５９号公報
【発明の概要】
【発明が解決しようとする課題】
【０００４】
ところで、例えば、電線の外周がフッ素樹脂等の比較的硬い材質の被覆で覆われている場合には、バンド部が電線の外周上を滑って長さ方向に変位し、電線の長さ方向に対するバンドの締結位置が所定の位置に定まらない可能性があった。仮に、バンドの締結位置が定まらないと、例えば、バンドの締結位置を介してワイヤハーネスの分岐構造を形成する際に、その分岐位置も定まらないという問題があった。
【０００５】
本発明は上記のような事情に基づいて完成されたものであって、バンドの締結位置が位置ずれするのを防止したワイヤハーネス用バンドの結束構造を提供することを目的とする。
【課題を解決するための手段】
【０００６】
本発明は、複数本の電線を１つの長尺帯状のバンド部によって結束するワイヤハーネス用バンドの結束構造であって、前記バンド部は、前記各電線を同一方向である長さ方向に延出させた状態で、その長さ方向に延出する各電線全体の外周に対し、結束動作の起点から離れる往き方向にずれながら巻き付けられる巻き部分と、この往き方向の巻き部分の内側に重なるように交差して、前記起点へ向かう戻り方向にずれながら巻き付けられる巻き部分とを含んでいるところに特徴を有する。
【発明の効果】
【０００７】
これによれば、バンドに、各電線の長さ方向に沿った往き方向のずれ力が作用しても、そのずれ力に対し、戻り方向の巻き部分から各電線に作用する締結力が抗してバンドの往き方向の位置ずれを抑えることができるとともに、バンドに、各電線の長さ方向に沿った戻り方向のずれ力が作用しても、そのずれ力に対し、戻り方向の巻き部分から各電線に作用する締結力が抗してバンドの戻り方向の位置ずれを抑えることができる。その結果、バンドが各電線の長さ方向に位置ずれするのが防止される。
【図面の簡単な説明】
【０００８】
【図１】実施例１のバンドを備えたワイヤハーネスの斜視図である。
【図２】バンドの結束構造を示す斜視図である。
【図３】同じく右側面図である。
【図４】同じく左側面図である。
【発明を実施するための形態】
【０００９】
本発明の好ましい形態を以下に示す。
軸方向に延出する複数の電線を有する幹線部と、前記幹線部の延出方向途中で分岐する電線を有する分岐部とを備え、前記バンド部が前記幹線部の各電線を結束するものであり、前記幹線部の各電線が前記バンド部によって結束される位置は、前記分岐部が分岐される位置に対応している。これにより、幹線部に対する分岐部の位置ずれが防止され、分岐構造の信頼性が高められる。
前記電線が耐油性を有している。このような耐油性を有する電線が使用される状況において、本発明を適用することにより、バンドの位置ずれを防止することができるメリットは大となる。
【００１０】
＜実施例１＞
本発明の実施例１を図１〜図４によって説明する。
図１に示すように、ワイヤハーネスは、長さ方向（電線８０の軸方向又は配索方向）に延出する複数本の電線８０が配索された幹線部６０と、幹線部６０の長さ方向に間隔をあけた複数箇所において、幹線部６０の各電線８０のうちの一部の電線８０が幹線部６０と交差する方向に分岐して配索された分岐部５０とを備えている。幹線部６０の各電線８０の外周にはバンド１０が巻き付けられ、バンド１０を介して各電線８０が結束されている。幹線部６０において、バンド１０によって各電線８０が結束される締結位置は、分岐部５０が分岐される位置と対応しており、言い換えれば、分岐部５０は、幹線部６０におけるバンド１０の締結位置から分岐されている。図示する場合、分岐部５０は、幹線部６０の各電線８０を挟んだ径方向両側に枝状に分岐されているが、もちろん、各電線８０の径方向片側のみに偏向して分岐されるものであってもよい。
【００１１】
各電線８０は、芯線の周りを被覆で覆った形態であり、実施例１の場合、高温油中での使用の可能性に鑑み、被覆は、エチレン−テトラフルオロエチレン共重合体（ＥＴＦＥ）、テトラフルオロエチレン−ヘキサフルオロプロピレン共重合体（ＦＥＰ）等のフッ素樹脂やエンプラ材等の比較的耐油性に優れた材質で構成される。また、各電線８０の端部には、図示しない端子金具が接続されており、各端子金具は、対応するコネクタ４０に収容されている。また、各コネクタ４０は、図示しない相手コネクタに嵌合可能とされている。なお、図１に示すように、幹線部６０の各電線８０の本数は、基端部側から先端部側へ向けて各分岐部５０を経る毎に減少していく。
【００１２】
バンド１０は合成樹脂製のタイバンドであって、図２に示すように、角ブロック状の基部１１と、基部１１から延出する可撓性で且つ長尺帯状をなすバンド部１２とからなる。バンド部１２は、各電線８０の外周に巻回させられ、その帯面に、幅方向に線条をなす係止爪（図示せず）が長さ方向に多数設けられている。また、基部１１には、スリット状の係止孔１３が設けられている。ここで、各電線８０の外周に巻回されたバンド部１２の先端部が基部１１の係止孔１３に挿入されて、係止爪が係止孔１３内に引っ掛け係止されることにより、バンド１０が各電線８０を結束した状態で各電線８０にその締結位置にて保持されるようになっている。
【００１３】
次に、バンド１０の結束構造について具体的に説明する。
まず、幹線部６０の各電線８０の外周にバンド１０の基部１１が押し当てられ、その状態で、バンド部１２が各電線８０の外周に沿って基部１１側（結束動作の起点側）から離れる往き方向（図３を参照）にずれながら巻き付けられる。これにより、各電線８０の長さ方向及びその長さ方向と直交する方向の両方向と交差する図３のＡ方向に沿った、往き方向の巻き部分１４が形成される。往き方向の巻き部分１４は、各電線８０の外周を概ね一周する一波長分の長さを有し、往き方向の巻き部分１４の先端部は、基部１１から長さ方向に離れるとともに、各電線８０を挟んだ径方向両側のうちの基部１１が位置する側と同じ側に至ることになる。
【００１４】
続いて、往き方向の巻き部分１４の先端部からバンド部１２が折り返され、折り返されたバンド部１２が各電線８０の外周に沿って基部１１側へ向けて戻り方向（図３を参照）にずれながら巻き付けられる。これにより、図３のＡ方向と交差し、且つ各電線８０の長さ方向及びその長さ方向と直交する方向の両方向と交差する図３のＢ方向に沿った、戻り方向の巻き部分１５が形成される。戻り方向の巻き部分１５は、その延出途中で往き方向の巻き部分１４とＸ字状に交差しており、その交差位置では、戻り方向の巻き部分１５が往き方向の巻き部分１４の内側に重なって配置される。換言すると、各電線８０の外周に、バンド部１２がたすき掛け状に巻回された構造になる。最後に、戻り方向の巻き部分１５の先端部が基部１１の係止孔１３に挿入係止され、これによってバンド部１２が各電線８０の外周に緊密に締結されて保持される。
【００１５】
さて、上記バンド１０の結束構造において、仮に、バンド１０に、各電線８０の長さ方向で且つ図３の往き方向に沿ったずれ力が作用すると、そのずれ力に戻り方向の巻き部分１５から各電線８０に作用する締結力が抗してバンド１０の位置ずれを抑えることができる一方、バンド１０に、各電線８０の長さ方向で且つ図３の戻り方向に沿ったずれ力が作用すると、そのずれ力に往き方向の巻き部分１４から各電線８０に作用する締結力が抗してバンド１０の位置ずれを抑えることができる。
【００１６】
したがって、実施例１によれば、バンド１０が各電線８０の外周における締結位置から長さ方向に位置ずれするのが防止される。また、こうしてバンド１０の位置ずれが防止されることにより、幹線部６０に対する分岐部５０の分岐位置も確定されるため、分岐構造の信頼性が高められる。
【００１７】
＜他の実施例＞
本発明は上記記述及び図面によって説明した実施例に限定されるものではなく、例えば次のような態様も本発明の技術的範囲に含まれる。
（１）ワイヤハーネスには、上記バンドとともに、各電線の結束状態を維持可能な粘着テープやプロテクタ等の他の結束手段が混在して設けられていてもよい。
（２）基部に対するバンド部の連結方向が図３のＡ方向に予め向けられていてもよい。また、基部の係止孔の開口方向が図３のＢ方向に予め向けられていてもよい。
（３）上記実施例１の場合、バンド部は、各電線の外周に対し、往き方向の巻き部分で１周、戻り方向の巻き部分で１周、計２周に亘って巻回される構成であったが、本発明によれば、バンド部は、各電線の外周に対し、往き方向の巻き部分と戻り方向の巻き部分とで合わせて３周以上に亘って巻回される構成であってもよい。例えば、バンド部が各電線の外周に対して３周に亘って巻回される場合には、往き方向の巻き部分で２周、戻り方向の巻き部分で１周（往き方向の２波長分）、となるように巻回されるとよい。
（４）バンド部は、往き方向の巻き部分と戻り方向の巻き部分とに加え、各電線の長さ方向の同一位置で巻回される部分を含むものであってもよい。
（５）バンド部における往き方向の巻き部分と戻り方向の巻き部分とは、各電線の外周に対し、基部側（結束動作の起点側）を挟んだ左右両側に亘る範囲に形成されるものであってもよい。
【符号の説明】
【００１８】
１０…バンド
１１…基部
１２…バンド部
１４…往き方向の巻き部分
１５…戻り方向の巻き部分
５０…分岐部
６０…幹線部
８０…電線 
【図１】
0005940024.tif 000002
【図２】
0005940024.tif 000003
【図３】
0005940024.tif 000004
【図４】
0005940024.tif 000005